(57)【要約】  除毛装置に使用するための皮膚係合部材を形成する方法であって、少なくとも１つの受容領域を有する担体を提供する工程と、該受容領域の中に又は上に、分配部材を通じて流動性を有する形態の皮膚コンディショニング組成物を分配する工程と、を含み、前記担体及び前記分配部材のうちの少なくとも１つが、もう１つに対して移動する間に、前記皮膚コンディショニング組成物が分配され、皮膚コンディショニング組成物は、水溶性ポリマー、皮膚軟化剤、及びこれらの混合物のうちの少なくとも１つを含む、方法。
2013538670.tif 000002
【特許請求の範囲】
【請求項１】
除毛装置に使用するための皮膚係合部材を形成する方法であって、
ａ．少なくとも１つの受容領域を有する担体を提供する工程と、
ｂ．前記受容領域の中に又は上に、分配部材を通じて流動性を有する形態の皮膚コンディショニング組成物を分配する工程と、を含み、
前記担体及び前記分配部材のうちの少なくとも１つが、もう１つに対して移動する間に、前記皮膚コンディショニング組成物が分配される、方法。
【請求項２】
前記担体が、好ましくは０．３ｍ／分〜３０．４ｍ／分（１フィート／分〜１００フィート／分）の速度で、分配工程の間、移動する、請求項１に記載の方法。
【請求項３】
前記皮膚コンディショニング組成物が、１ｍＬ／分〜３００ｍＬ／分の速度で分配される、請求項１又は２に記載の方法。
【請求項４】
前記担体を個々の皮膚係合部材に分離する工程を更に含む、請求項１〜３のいずれか一項に記載の方法。
【請求項５】
前記皮膚コンディショニング組成物を前記受容領域の中に又は上に収容させたまま、前記担体を休止させる工程を更に含み、前記休止させる工程が、前記担体を分離する前記工程の前に生じる、請求項１〜４のいずれか一項に記載の方法。
【請求項６】
前記担体が、前記分配工程の間静止し、前記スキンケア組成物を分配する分配部材が、前記担体の長さに沿って移動する、請求項１〜５のいずれか一項に記載の方法。
【請求項７】
前記担体及び前記分配部材が、互いに向かって又は互いから離れて同時に移動する、請求項１〜６のいずれか一項に記載の方法。
【請求項８】
前記皮膚コンディショニング組成物が、前記適用工程の間、液体を形成するように、前記皮膚コンディショニング組成物の少なくとも融点まで加熱される、請求項１〜７のいずれか一項に記載の方法。
【請求項９】
前記担体を成形する工程及び前記担体を押出成形する工程からなる群から選択される、前記担体を形成する工程を更に含む、請求項１〜８のいずれか一項に記載の方法。
【請求項１０】
前記方法が連続的に行われる、請求項１〜９のいずれか一項に記載の方法。
【請求項１１】
前記皮膚コンディショニング組成物を分配する前記工程が、前記受容領域の中に又は上に前記流体組成物をスロットコーティングする工程を含む、請求項１〜１０のいずれか一項に記載の方法。
【請求項１２】
スロットダイコータが、スロットコーティングの間使用される、請求項１２又はその従属請求項のいずれか一項に記載の方法。
【請求項１３】
前記皮膚コンディショニング組成物を分配する前記工程が、前記受容領域の中に又は上に前記流体組成物をノズルコーティングする工程を含む、請求項１〜１２のいずれか一項に記載の方法。
【請求項１４】
前記ノズルコーティングする工程が、溶融ポンプ及び分配ノズルを使用する、請求項１４又はその従属請求項のいずれか一項に記載の方法。
【請求項１５】
前記受容領域に存在する前記皮膚コンディショニング組成物に隣接して、皮膚コンディショニング組成物の第２の層を分配する工程を更に含む、請求項１〜１４のいずれか一項に記載の方法。
【発明の詳細な説明】
【背景技術】
【０００１】
剃毛中に潤滑効果を提供するためにかみそりの刃に剃毛補助剤を使用することは、機知である。いくつかの剃毛補助剤が、米国特許第７，１２１，７５４号、同第６，２９８，５５８号、同第５，７１１，０７６号、同第５，１３４，７７５号、米国特許公開第２００６／０２２５２８５号、及び同第２００８／０６０２０１号等に記載されてきた。既知の剃毛補助剤の一例は、フリップトップの背面上に位置決めされる貯留層を含むＳｃｈｉｃｋによるＨｙｄｒｏ（登録商標）「Ｇｅｌ  Ｒｅｓｅｒｖｏｉｒ」である。剃毛補助剤は、典型的には、かみそりの刃とリアカバーキャップとの間に使用するよう説明されている。近年、かみそりの刃の前方又は後方に配置され得る特定の剃毛補助材料が報告されてきた。米国特許公開第２００９／０２２３０５７号を参照されたい。しかし、これらの剃毛補助材料は、水溶性の剃毛補助剤が非水溶性の浸食性媒質を用いて少なくとも部分的には可溶性又は混和性である、水溶性の剃毛補助剤及び非水溶性の浸食性媒質の両方を必要とする。剃毛補助剤を用いる潤滑ボックスを有する他のかみそりもまた、開示されてきた。例えば、国際特許第２０１１／０４７２２１（Ａ）号、同第２０１１／０４７２２２（Ａ）号、同第２０１１／０４９８９２（Ａ）号、同第２０１１／０５０１４０（Ａ）号を参照されたい。
【０００２】
かみそり上に剃毛補助剤を提供する多くの試みにもかかわらず、単純な連続的又はバッチ処理で形成され得る新しい皮膚コンディショニングシステムを有する除毛装置の必要性が数多くあり、この皮膚コンディショニングシステムは、特定の皮膚コンディショニング効果を提供するためのハンドルの種々の部位に位置決めされ得る使用の間に皮膚に様々な作用剤を供給できる。
【先行技術文献】
【特許文献】
【０００３】
【特許文献１】米国特許第７，１２１，７５４号
【特許文献２】米国特許第６，２９８，５５８号
【特許文献３】米国特許第５，７１１，０７６号
【特許文献４】米国特許第５，１３４，７７５号
【特許文献５】米国特許公開第２００６／０２２５２８５号
【特許文献６】米国特許公開第２００８／０６０２０１号
【特許文献７】米国特許公開第２００９／０２２３０５７号
【特許文献８】国際特許第２０１１／０４７２２１（Ａ）号
【特許文献９】国際特許第２０１１／０４７２２２（Ａ）号
【特許文献１０】国際特許第２０１１／０４９８９２（Ａ）号
【特許文献１１】国際特許第２０１１／０５０１４０（Ａ）号
【発明の概要】
【課題を解決するための手段】
【０００４】
本発明の一態様は、除毛装置に使用するための皮膚係合部材を形成する方法に関し、少なくとも１つの受容領域を有する担体を提供する工程と、該受容領域の中に又は上に、少なくとも１つの分配部材を通じて流動性を有する形態の少なくとも１つの皮膚コンディショニング組成物を分配する工程と、を含み、前記担体及び前記分配部材のうちの少なくとも１つがもう１つに対して移動する間に、前記皮膚コンディショニング組成物が分配され、皮膚コンディショニング組成物は、水溶性ポリマー、任意に、非水溶性ポリマー、皮膚軟化剤及び任意の非水溶性構造化ポリマー、並びにこれらの混合物のうちの少なくとも１つを含む。
【図面の簡単な説明】
【０００５】
【図１】本発明の少なくとも１つの実施形態による除毛装置の側面図。
【図２】本発明による追加の除毛カートリッジの断面側面図。
【図３】本発明による追加の除毛カートリッジの断面側面図。
【図４】本発明の１つ以上の実施形態による様々な除毛カートリッジの上平面図。
【図５】本発明の１つ以上の実施形態による様々な除毛カートリッジの上平面図。
【図６】本発明の１つ以上の実施形態による様々な除毛カートリッジの上平面図。
【図７】本発明の１つ以上の実施形態による様々な除毛カートリッジの上平面図。
【図８】本発明の１つ以上の実施形態による様々な除毛カートリッジの上平面図。
【図９】本発明の１つ以上の実施形態による様々な除毛カートリッジの上平面図。
【図１０】本発明の１つ以上の実施形態による他の様々な皮膚係合部材の側面断面図。
【図１１】本発明の１つ以上の実施形態による他の様々な皮膚係合部材の側面断面図。
【図１２】本発明の１つ以上の実施形態による他の様々な皮膚係合部材の側面断面図。
【図１３ａ】本発明の１つ以上の実施形態による他の様々な皮膚係合部材の側面断面図。
【図１３ｂ】本発明の１つ以上の実施形態による他の様々な皮膚係合部材の側面断面図。
【図１４ａ】本発明の１つ以上の実施形態による他の様々な皮膚係合部材の側面断面図。
【図１４ｂ】本発明の１つ以上の実施形態による他の様々な皮膚係合部材の側面断面図。
【図１５ａ】本発明の１つ以上の実施形態による他の様々な皮膚係合部材の側面断面図。
【図１５ｂ】本発明の１つ以上の実施形態による他の様々な皮膚係合部材の側面断面図。
【図１６】皮膚係合部材を製造するための例示システムの側面図。
【図１７ａ】多数の分配ポートを有する分配部材の図。
【図１７ｂ】多数の分配ポートを有する分配部材の図。
【発明を実施するための形態】
【０００６】
本発明の除毛装置は、除毛処理中、供給のための装置上に様々な皮膚コンディショニング組成物の装填を可能にする少なくとも１つの皮膚係合部材を含む。装置上の皮膚係合部材及びその位置の詳細は、本発明の様々な要素を含め得る例示の実施形態を示す図を用いて本明細書に開示される。要素の様々な組み合わせが明細書に記載され、本発明により使用され得る図に開示されることを当業者は理解するであろう。この装置は、剃毛等の除毛処理中に使用するのに好適であり、皮膚コンディショニング組成物は、パーソナルケアにおける局所適用のためによく使用される様々な既知の組成物を含み得る。
【０００７】
除毛装置は一般に、「ヘッド」として一般に呼ばれる、除毛カートリッジ、及び除毛カートリッジが上に取り付けられる、ハンドル又は把持部分を含む。除毛装置は、手動又は動力駆動で、使い捨て又はシステムの一部であり得、湿った状態及び／又は乾燥状態の適用のために使用され得る。除毛カートリッジは、除毛装置が脱毛剤と共に使用される場合は幅広いこすり落とし表面を含み得、又は装置が剃毛かみそりである場合はかみそりカートリッジを含み得る。除毛カートリッジは、交換可能であり得る、又はカートリッジ連結構造体に枢動可能に接続され得る。一態様では、カートリッジ連結構造体は、除毛カートリッジを取り外し可能に係合するための少なくとも１つのアームを含む。
【０００８】
Ｉ．除毛カートリッジ
本発明の除毛カートリッジは、除毛部材を含む。除毛部材は、皮膚から毛髪を切断、引き抜き、又は剪断に関与する構造体である。一実施形態では、除毛部材は、１つ以上の刃であり、別の実施形態では、除毛部材は、脱毛剤が処理される皮膚上に適用された後、使用され得るこすり落とし縁部である。更に別の実施形態では、除毛部材は、脱毛（毛嚢から毛髪を引き抜く）のために使用され得る複数のピンセット部材を含む。
【０００９】
除毛部材は、１つ以上の伸長された縁部、及び／又は刃（ロータリ、フォイル、又は一直線の刃）であり得る。他の種類の除毛部材も本発明により記載されることを当業者は理解するであろう。一実施形態では、除毛部材は、第１の端部と第２の端部との間のカートリッジ上に位置決めされる１つ以上の伸長された縁部を含み、前記１つ以上の伸長された縁部は、前記第１の端部に向かって延在する先端部を含む。例えば、米国特許第７，１６８，１７３号は、Ｇｉｌｌｅｔｔｅ  Ｃｏｍｐａｎｙから市販される、Ｆｕｓｉｏｎ（登録商標）かみそりを一般的に説明する。様々なかみそりカートリッジが本発明に従って使用可能である。フィン、ガード、及び／又は剃毛補助剤を備える、並びにこれらを備えない好適なかみそりカートリッジの非限定的な例としては、Ｆｕｓｉｏｎ（登録商標）、Ｖｅｎｕｓ（登録商標）の製品ラインでＧｉｌｌｅｔｔｅ  Ｃｏｍｐａｎｙによって販売されるもの、及び米国特許第７，１９７，８２５号、同第６，４４９，８４９号、同第６，４４２，８３９号、同第６，３０１，７８５号、同第６，２９８，５５８号、同第６，１６１，２８８号、及び米国特許公開第２００８／０６０２０１号に開示されるものが挙げられる。伸長された縁部が刃である場合の一実施形態では、刃は、米国特許第７，６８１，３１４号に一般に記載されるように、少なくとも１つの刃と刃との間のガードを含み得る。
【００１０】
一実施形態では、カートリッジは、使用者の皮膚に係合するための少なくとも１つの伸長された可撓性突出を含むガードを含む。一実施形態では、少なくとも１つの可撓性突出は、前記１つ以上の伸長された縁部に一般に平行である可撓性フィンを含む。別の実施形態では、前記少なくとも１つの可撓性突出は、前記１つ以上の伸長された縁部に一般に平行ではない少なくとも１つの部分を含む可撓性フィンを含む。好適なガードの非限定的な例としては、現在のかみそりの刃に使用されるものが挙げられ、米国特許第７，６０７，２３０号及び同第７，０２４，７７６号（エラストマー性／可撓性フィンバーを開示）、同第２００８／００３４５９０号（湾曲したガードフィンを開示）、同第２００９／００４９６９５（Ａ１）号（上面と下面との間に延在する少なくとも１つの通路を形成するガードを有するエラストマー性ガードを開示）に開示されるものが挙げられる。更に別の実施形態では、除毛装置はガードを含まない。
【００１１】
一実施形態では、前記カートリッジ上に位置決めされる少なくとも１つの皮膚係合部材は、前記１つ以上の伸長された縁部の前方又は後方にあり得る。本明細書に使用される、用語「前方及び後方」は、カートリッジ（即ち、かみそりカートリッジ）の特徴間の相対位置を定義する。例えば、１つ以上の伸長された縁部の「前方」の特徴は、除毛装置によって処理される表面が、伸長された縁部に接触する前にその特徴と接触するように位置決めされ、例えば、かみそりアセンブリが意図される切断方向に描かれる場合、ガードは、かみそりの刃の前方にある。伸長された縁部の「後方」の特徴は、除毛装置によって処理される表面が、伸長された縁部に接触後にその特徴と接触するように位置決めされ、例えば、かみそりアセンブリが意図される切断方向に描かれる場合、キャップは、かみそりの刃の後方に配設される。
【００１２】
ガードがカートリッジ上に存在する場合、皮膚係合部材は、ガードの前方又は後方にあり得る。皮膚係合部材がガードの後方及び前記伸長された縁部の前方にある場合、ガードは、皮膚上に存在するいかなる材料も取り除くことができ、皮膚係合部材内のあらゆる皮膚コンディショニング組成物が伸長された縁部の少し前方で取り外されることを可能にする。
【００１３】
ＩＩ．皮膚係合部材
皮膚係合部材は、複数の構成成分を含む。一実施形態では、皮膚係合部材は、担体及び前記担体と取り外し可能に係合される少なくとも１つの皮膚コンディショニング組成物を含む。担体は、平坦若しくは非平坦なストリップの材料、トラフを形成するストリップ、又は更には皮膚コンディショニング組成物を実質的に収容する貯留層であり得る。「取り外し可能に係合される」は、皮膚係合部材が使用中に水に暴露されるとき、皮膚コンディショニング組成物が溶解又は担体から外に分配されることによって取り外されるように、担体上に存在するか又は担体内に少なくとも部分的に収容されることを意味する。
【００１４】
皮膚係合部材が貯留層又はシースの形態である場合、皮膚コンディショニング組成物は、担体の受容領域の中に積層され、少なくとも１つの分配開口部を含む任意の皮膚接触部材は、前記担体内の皮膚コンディショニング組成物を少なくとも部分的に収容するために前記担体上に配置され得る。担体が完全に皮膚コンディショニング組成物を取り囲む必要がないことを当業者は理解するであろう。別の実施形態では、皮膚コンディショニング組成物が開路トラフによって形成された凹部内に存在する場合、担体は、開路トラフを形成する。
【００１５】
一実施形態では、皮膚係合部材は、使用中に皮膚上に前記皮膚コンディショニング組成物を分配するための少なくとも１つの開口部を形成する。一実施形態では、開口部は、約０．０００５〜約０．２５平方インチの断面領域を有する。小さな開口部はまた、約０．００５〜約０．０５平方インチ、又は約０．０１〜０．０２５平方インチの断面領域が備わっている。より大きな開口部は、約０．０５〜約０．２５平方インチ、又は約０．１〜約０．２平方インチの断面積を有し得る。小さな開口部と大きな開口部との組み合わせはまた、望ましい分配率及び皮膚コンディショニング組成物を水に暴露する量に応じて、同じ皮膚係合部材上に、又は同じカートリッジ上の別個の皮膚係合部材上に提供され得る。
【００１６】
別の実施形態では、構成成分の皮膚係合表面は、表面積を有し、前記少なくとも１つの開口部は、約５０：１〜約１：１の断面積率内の断面積を有する。別の実施形態では、開口部は、除毛カートリッジの最大横方向距離の約１％〜約８０％、約２％〜約１０％、約３％〜約５％、又は約１５％〜約５０％の最大横方向距離を有する。好適な担体の例としては、米国特許第６，２９８，５５８号又は同第７，５８１，３１８号に開示されるシースが挙げられる。
【００１７】
複数の皮膚係合部材が除毛装置上に提供される場合、同じ又は異なり得る。異なることによって、異なる担体、異なる皮膚コンディショニング組成物を有することを意味し、又は担体及び皮膚コンディショニング組成物の両方が異なる。当然のことながら、除毛装置は、本発明の皮膚係合部材及び従来の潤滑ストリップ又は剃毛補助剤を含み得る。複数の皮膚係合部材が提供される場合、第１及び第２の皮膚係合部材は、同じ担体から形成され得る。そのような実施形態では、担体は、第１及び第２の皮膚係合部材の両方を形成するように使用され、この違いは、担体の異なる部分内に収容される皮膚コンディショニング組成物が異なり得ることである。同じ皮膚コンディショニング組成物が担体中に収容される場合、実施形態は、皮膚係合部材が前記少なくとも１つの伸長された縁部の前方であり、任意に皮膚係合部材の一部分が前記少なくとも１つの伸長された縁部の後方に位置決めされる場合に、単一の皮膚係合部材を有すると記載され得る。
【００１８】
ａ．リングを形成する皮膚係合部材
一実施形態では、皮膚係合部材は、使用中に皮膚に接触し得るように、除毛装置上に位置決めされる、直線の形態である。別の実施形態では、皮膚係合部材は、少なくとも１つの伸長された縁部の外周の大半又は最小７５％の周囲に少なくとも部分的リングを形成し、又は最大１００％が１つ以上の担体によって取り囲まれる。一実施形態では、単一の担体は、前記１つ以上の伸長された縁部の少なくとも一部分を取り囲むために使用され、別の実施形態では、同じ担体内の複数の担体及び／又は様々な組成物は、前記１つ以上の伸長された縁部の少なくとも一部分を取り囲むために使用される。
【００１９】
一実施形態では、担体又は複数の担体は、少なくとも１つの伸長された縁部の外周全体の周囲に２７０度のリング、又は更には３６０度のリングを形成し得る。担体は、伸長された縁部に接触又は直接隣接する必要はなく、伸長された縁部の周囲にリングを提供することによって、担体は、伸長された縁部を皮膚に接触する前又は直後に、皮膚コンディショニング組成物が皮膚上に積層されることを確保できる。
【００２０】
担体又は複数の担体は、少なくとも１つの伸長された縁部の複数の縁部の周囲に角を形成するとき、滑らかな曲線区分を有することができ、あるいは溶融結合又は接着剤を介して互いに付着される鋭い縁部を形成することができる。担体の非線状区分（湾曲した、角のある、部分的にねじれた等）が必要とされる場合、皮膚コンディショニング組成物は、担体（同時に形成される）と一体で形成されることができ、あるいは別々に形成されることができ、その後、皮膚コンディショニング組成物は、担体の中に移動させられ得る。一実施形態では、皮膚係合部材は、皮膚係合部材が製造又は組立処理から更に加熱される間に非線状変形が形成される場合、線状物品として形成され、非線状部分が形成された後、部材が次に、冷却又は硬化するために残され得る。更に別の実施形態では、担体が、その中に収容されるいかなる皮膚係合組成物もなしに形成され、次に非線状部分が形成され、又は担体が非線状部分を有して成形され得る。皮膚コンディショニング組成物は次に、担体内の領域に添加され得る。皮膚係合部材を製造するこれら及び他の方法もまた可能であり、以下に記載される。
【００２１】
ｂ．任意の追加の剃毛補助剤又は潤滑ストリップ
別の実施形態では、除毛装置は、前記第２の端部と前記１つ以上の伸長された縁部との中間に位置決めされる皮膚コンディショニング組成物（既知又は市販の剃毛補助剤又は潤滑ストリップ）を更に含み、前記皮膚コンディショニング組成物は、非水溶性ポリマー及び水溶性ポリマーを含む。任意の剃毛補助剤は、伸長された縁部の前方及び後方、好ましくは、本発明の皮膚係合部材と反対側に位置決めされ得る。本明細書に使用するための好適な既知の皮膚コンディショニング組成物の非限定的な例としては、米国特許第７，０６９，６５８号、同第６，９４４，９５２号、同第６，５９４，９０４号、同第６，３０２，７８５号、同第６，１８２，３６５号、同第Ｄ４２４，７４５号、同第６，１８５，８２２号、同第６，２９８，５５８号、同第５，１１３，５８５号、及び同第２００９／０２２３０５７号に記載されるように、剃毛補助剤及び潤滑ストリップが挙げられる。
【００２２】
ｃ．担体
担体は、様々な材料から形成され得る。一実施形態では、担体は、通常の使用中に分解又は溶解しない、非水溶性である。別の実施形態では、担体は、皮膚コンディショニング組成物の遊離を可能にするために部分的に水溶性であり得る。部分的に水溶性の担体は、好ましくは皮膚コンディショニング組成物より可溶性が低く、好ましくは更にゆっくりと摩耗する。一実施形態では、担体は、前項に記載されたよう剃毛補助剤又は潤滑ストリップ材料から製造され得る。理論に束縛されるものではないが、皮膚コンディショニング組成物より更にゆっくりと溶解及び／又は摩耗する担体を有することは、時間が経つにつれ、その中に収容される皮膚コンディショニング組成物の増大した暴露を可能にすると信じられている。時間が経つにつれ、皮膚コンディショニング組成物の暴露の増大は、摩耗し始めているにも関わらず、皮膚コンディショニング組成物の維持された及び／又は増大した遊離を可能にする。これは、皮膚コンディショニング組成物が担体内に収容される場合に特に望ましくなり得る。
【００２３】
担体は、十分な機械的強度及び剛性を有し、両方が最初に生成されたように、大量の水溶性材料が皮膚係合部材から外に浸出された後、皮膚係合部材全体に適切な機械的強度を提供する必要がある。一実施形態では、担体は、塩基及び１つ以上の側壁を含み、剃毛コンディショニング組成物が配置される上に又は中に受容領域を形成する。別の実施形態では、担体は、前記塩基から離れて延在する前記受容経路内に１つ以上の保持部材を形成する。一実施形態では、保持部材は、伸長され、担体の長さの少なくとも約２０％〜約１００％、約３５％〜約７５％、又は約５０％にわたって伸びる。別の実施形態では、複数の保持部材は、受容領域全体にわたって線状又は非線状配列に使用される。保持部材は、等間隔又は等間隔でない可能性がある。更に別の実施形態では、保持部材のうちの１つ以上は、約０．０５ｃｍ〜約１ｃｍ、又は約０．１ｃｍ〜約０．５ｃｍの高さを有する。別の実施形態では、保持部材のうちの１つ以上は、少なくとも１つの前記側壁の高さの約１０％〜約１００％、又は約３０％〜約６０％の高さを有する。
【００２４】
一実施形態では、側壁は、同じ高さ（担体の塩基から離れて延在して測定されるように）ではない。側壁のうちの少なくとも１つは、約０．１ｃｍ〜約１ｃｍ、好ましくは約０．２ｃｍ〜約０．４ｃｍの高さを有する。側壁の一対は、壁が前記塩基から離れて延在するとき、互いから離れて付勢され得る、あるいは互いに向かって付勢され得る。更に別の実施形態では、担体の１つ又は両端部は、米国特許第７，５８１，３１８号に記載されるように取り囲まれ得る。
【００２５】
一実施形態では、担体は、非水溶性ポリマー、特に熱可塑性樹脂から製造される。熱可塑性樹脂は、ある形状に押出成形又は成形され得る材料であり、水との接触、より適切に言えば、通常家庭の最高温水温度（例えば、最高１２５℃）、使用中の消費者による通常の摩損、装置組立及び出荷等の通常の環境条件下で弾力的である。担体内に使用するための好適な熱可塑性樹脂としては、ポリスチレン、耐衝撃性ポリスチレン（ポリスチレン−ブタジエン）、ポリプロピレン、充填ポリプロピレン、ポリエチレン、ナイロンエチレン酢酸ビニル、７０％ナイロン／３０％ポリエチレンオキシド、６０％ポリスチレン／４０％ポリエチレンオキシドブタジエンスチレンコポリマー、ポリアセタール、アクリロニトリル−ブタジエンスチレンコポリマー等の配合物、及びこれらの混合物が挙げられる。好ましい樹脂は、耐衝撃性ポリスチレン、ポリスチレン、エチレン酢酸ビニル（ＥＶＡ）、及びこれらの混合物である。
【００２６】
一実施形態では、担体は、剃毛補助剤に関して後述される材料に類似する固体ポリマー組成物から製造され得る。更に別の実施形態では、担体は、後述される剃毛補助剤に類似する水溶性及び非水溶性ポリマーの混合物を含む。理論に束縛されるものではないが、これは、皮膚係合部材全体が浸食性であるか又は少なくとも部分的に水溶性であることが望ましい場合に、特に望ましくなり得る。一実施形態では、前記非水溶性ポリマーは、前記担体の少なくとも約３５重量％、少なくとも５０％、少なくとも約７５％、又は少なくとも約９０％の濃度で存在する。水溶性ポリマーは、剰余として存在し得る。任意に、担体は、潤滑剤又は可塑剤等の添加剤、ＣａＣＯ３等のフィラー、及びＴｉＯ２等の着色剤が含まれ得る。
【００２７】
一実施形態では、担体は、後述されるように剃毛補助剤組成物から製造され得る。これは、担体が装置及び／又は皮膚係合部材の耐用年数の全体にわたって摩耗可能及び／又は溶解可能であることが意図される場合、特に有用であり得る。更に、剃毛補助剤組成物から製造される担体を提供することにより、皮膚係合部材の両部は、使用中に除毛効果を提供する。
【００２８】
一実施形態では、担体及び皮膚コンディショニング組成物が共通点のない着色材料（例えば、白色シース及び青色コア）から製造されるとき、摩耗表示効果が生成される。皮膚コンディショニング組成物は、使用することにより皮膚係合部材から外に浸出する。十分な使用によって、皮膚コンディショニング組成物内の着色された領域が浸出する。皮膚係合表面に沿って取り外し穴を調査することにより、使用者は、剃毛ユニット及び／又は皮膚係合表面が有効期間に達した印を提供される。一実施形態では、皮膚コンディショニング組成物は、インジゴチンとともに着色されるポリエチレンオキシド／ポリスチレン配合物からなり、ＦＤ＆Ｃ  ＃２染料及びシースは、白色に着色されるナイロン及び／又はポリスチレンからなる。
【００２９】
更に、担体は、Ｌｏｃｔｉｔｅ  Ｓｕｐｅｒ  Ｂｏｎｄｅｒ  ４９９等の接着剤、機械的ロック機構、熱溶接又はこれらの組み合わせによってカートリッジに付着されてもよい。
【００３０】
ｄ．皮膚コンディショニング組成物
本明細書に参照されるように、皮膚コンディショニング組成物は、本明細書に記載されるように担体の中又は上に積層される限り、皮膚上の局所適用のために使用され得る、任意の好適な皮膚コンディショニング関連組成物を意味する。本発明の皮膚コンディショニング組成物は、使用前に皮膚係合構成成分の上又は内に保つ限り、固体又は流体であり得、除毛処理中、（前記１つ以上の開口部から外になど）分配され得る。組成物が流体である場合の実施形態では、開口部のサイズは、組成物の流量粘度及び当業者によって決定され得る他の組成物の詳細に応じて、開口部から外に組成物の流量を制御するように合わせることができる。一般に、水等の流体は、低粘度を有し、「薄い」と考慮されるが、蜂蜜等の流体は、高粘度を有し、「厚い」と考慮される。組成物が約０．５〜約２Ｐａ＊ｓ等の低粘度を有する場合の実施形態では、皮膚係合部材は、上記に定義されるように、少なくとも１つの小さな開口部、又はわずかな開口部を含み得る。組成物が高粘度を有する場合、皮膚係合部材は、開上端部を有し、あるいは上記に定義されるように、１つ以上の大きな開口部を含む。当然のことではあるが、小さな及び／又は開口部の様々な組み合わせは、固体皮膚コンディショニング組成物の実行のために使用され得る。
【００３１】
ｉ．剃毛補助剤
固体ポリマーコアの形態の皮膚コンディショニング組成物は、市販のかみそりで一般的に使用され、剃毛補助剤と一般的に呼ばれる。一実施形態では、剃毛補助剤は、ポリエチレンオキシド、ポリビニルピロリドン、ポリアクリルアミド、ヒドロキシプロピルセルロース、ポリビニルイミダゾリン、ポリエチレングリコール、ポリビニルアルコール、ポリメタクリル酸ヒドロキシエチル、シリコーンコポリマー、スクロースステアレート、ビタミンＥ、せっけん、界面活性剤、パンテノール、アロエ、ポリエチレングリコール等の可塑剤、あごひげ軟化剤、シリコーン油、Ｔｅｆｌｏｎ（登録商標）ポリテトラフルオロエチレン粉末（ＤｕＰｏｎｔ製）、及びワックス等の追加の潤滑剤、メントール、樟脳、オイゲノール、ユーカリプトール、サフロール、及びサリチル酸メチル等の精油、Ｈｅｒｃｕｌｅｓ  Ｒｅｇａｌｒｅｚ  １０９４及び１１２６等の粘着付与剤、不揮発性冷却剤、シクロデキストリンを用いる皮膚無痛化剤の包接錯体、香料、かゆみ止め／反対刺激材料、レゾルシノール等の抗菌性／角質溶解性材料、Ｃａｎｄｉｌｌａワックス及びグリチルレチン酸等の抗炎症剤、硫酸亜鉛等の収斂剤、プルロニック及びイコノール材料等の界面活性剤、スチレン−ｂ−ＥＯコポリマー等の相溶化剤、並びにこれらの組み合わせからなる群から選択される。剃毛補助剤は、改善された剃毛を提供するために表面から取り外してもよい。剃毛補助剤は、皮膚コンディショニング組成物全体にわたって分散される可能性があり、更に、担体はまた、少量の剃毛補助剤を含有してもよい。一実施形態では、前記剃毛補助剤は、水溶性又は混和性材料であるが、非水溶性添加剤はまた、水溶性コア構成成分を用いて実行され得る限り、組み込まれ得る。
【００３２】
一実施形態では、皮膚コンディショニング組成物は、固体ポリマーコアを形成し、ポリエチレンオキシド、ポリビニルピロリドン、ポリアクリルアミド、ポリヒドロキシメタクリレート、ポリビニルイミダゾリン、ポリエチレングリコール、ポリビニルアルコール、ポリヒドロキシエチルメタクリレート、シリコーンポリマー、又はこれらの混合物を含む水溶性ポリマーを含む。水溶性ポリマーは、皮膚コンディショニング組成物の少なくとも５０重量％、より好ましくは少なくとも６０％の濃度で、最大約１００％、又は最大約９０％であり得る。好適なポリエチレンオキシドとしては、ＰＯＬＹＯＸ（Ｕｎｉｏｎ  Ｃａｒｂｉｄｅから提供される）又はＡＬＫＯＸ（Ｍｅｉｓｅｉ  Ｃｈｅｍｉｃａｌ  Ｗｏｒｋｓ（Ｋｙｏｔｏ，Ｊａｐａｎ）から提供される）が挙げられる。これらのポリエチレンオキシドは好ましくは、約１０万〜６００万、最も好ましくは約３０万〜５００万の分子量を有する。他の好適なポリエチレンオキシドは、約５００万の平均分子量を有する（例えば、ＰＯＬＹＯＸ  ＣＯＡＧＵＬＡＮＴ）ポリエチレンオキシドの約４０〜８０％及び約３０万の平均分子量を有する（例えば、ＰＯＬＹＯＸ  ＷＳＲ−Ｎ−７５０）ポリエチレンオキシドの約６０〜２０％の配合物を含む。ポリエチレンオキシド配合物はまた、ＰＥＧ−１００等の低分子量（即ち、ＭＷ＜１０，０００）ポリエチレングリコールの最大約１０重量％を有利に含有してもよい。
【００３３】
一実施形態では、剃毛補助剤は、剃毛補助剤の約０．５重量％〜約５０重量％、約１重量％〜約２０重量％、約１重量％〜約１０重量％の濃度のポリカプロラクトンを更に含む。ポリカプロラクトンは、約１，０００〜８０，０００ダルトン、約３０，０００〜約６０，０００ダルトン、又は約５０，０００ダルトンの多数の平均モル重量を有する。好適なポリカプロラクトンとしては、米国特許第６，３０２，７８５号、４段、１１〜３７行に記載されるようにポリカプロラクトンホモポリマーが挙げられる。別の実施形態では、水溶性ポリマーの少なくとも一部分は、剃毛補助剤の別個の部分を形成する。更に別の実施形態では、水溶性ポリマー部分の一部又は全ては、米国特許公開番号第２００８／００６０２０１号の第２３項に記載されるように鉱油でコーティングされる。
【００３４】
剃毛補助剤はまた、好ましくは皮膚コンディショニング組成物の最大約２５重量％、最も好ましくは１０〜２０重量％の量で、不揮発性冷却剤又はシクロデキストリンを用いる皮膚無痛化剤の包接錯体を有利に含む。不揮発性冷却剤は、皮膚への生理学的冷却効果を有し、メントールより揮発性がかなり低い作用剤を意味する。好ましくは、不揮発性冷却剤は、熱重量分析（例えば、１分間につき２０℃の温度上昇−＾を有するＤｕＰｏｎｔ製の９５１熱重量分析器を使用）を受けるものであり、１６０℃の温度で初期重量の少なくとも５０％、より好ましくは１６０℃で初期重量の少なくとも８０％、最も好ましくは１７５℃で初期重量の少なくとも５０％を保持する。
【００３５】
利用可能である好適な冷却剤は、メンチルラクテート、メントールエトキシアセテート、メントングリセリンアセタール、３−１メトキシプロパン−ｌ，２−ジオール、エチル１−メンチル炭酸塩、（ＩＳ，３Ｓ，４Ｒ）−ｐ−メンタ−８−エン−３−オール、メンチルピロリドン２５カルボン酸塩、例えば、Ｎ−エチル−ｐ−メンタン−３−カルボキサミド、非環式カルボキサミドを含む、Ｎ−置換−ｐ−メンタン−３−カルボキサミド（米国特許第４，１３６，１６３号に記載され、参照により本明細書に組み込まれる）等の不揮発性メントール類似物を含む。
【００３６】
シクロデキストリン包接錯体に利用可能である好適な皮膚無痛化剤は、メントール、樟脳、オイゲノール、ユーカリプトール、サフロール、サリチル酸メチル、及び前述のメントール類似物を含む。任意の好適なシクロデキストリンは、ヒドロキシプロピル−β−シクロデキストリン、メチル−β−シクロデキストリン、及びアセチル−β−シクロデキストリン等のα−シクロデキストリン、β−シクロデキストリン、γ−シクロデキストリン、及び修飾シクロデキストリンを含む包接錯体を形成するように利用されてもよい。好ましいシクロデキストリンは、β−シクロデキストリン及びγ−シクロデキストリンである。
【００３７】
剃毛補助剤がシクロデキストリン包接錯体を含むとき、皮膚コンディショニング組成物はまた、水と接触すると、包接錯体から皮膚無痛化剤を置換する置換剤の最大６５〜約１０重量％、好ましくは約２〜７重量％を有利に含んでもよく、それにより使用中に皮膚コンディショニング組成物材料から皮膚無痛化剤の遊離を増進する。置換剤は、皮膚無痛化剤により形成される錯体より更に安定した錯体を形成できる材料であり、したがって、剃毛補助剤が水と接触するとき、錯体から皮膚無痛化剤を置換する。好適な置換剤は、界面活性剤、安息香酸、及び特定のアミン（例えば、尿素）を含む。前述の冷却剤、シクロデキストリン包接錯体、及び置換剤に関する更なる詳細は、米国特許第５，６５３，９７１号、及び同第５，７１３，１３１号に見出すことができる。
【００３８】
ｉｉ．皮膚軟化剤
別の実施形態では、前記担体内に少なくとも部分的に収容される皮膚コンディショニング組成物は、少なくとも１つの皮膚軟化剤を含む。一実施形態では、皮膚軟化剤は、疎水性である。上記に説明されたように、皮膚コンディショニング組成物は、固体であり得、又は流体であり得る。特定の実施形態では、組成物は、２５℃で流体を形成し得る本質的に１つ以上の皮膚軟化剤からなる。そのような実施形態では、組成物粘度に応じて、様々な開口部のサイズは、使用中に皮膚軟化剤の分配を制御するために使用され得る。
【００３９】
皮膚軟化剤は、室温で液体、半固体及び／又は固体である。一実施形態では、皮膚軟化剤は、１つ以上の炭化水素皮膚軟化剤、脂質、親油性皮膚コンディショニング活性剤、又はこれらの混合物を含んでもよい。好適な脂質としては、脂肪酸、脂肪族アルコール、エステル、トリグリセリド、脂肪、バター、及びワックス等の脂肪族アシル、グリセロ脂質、グリセロリン脂質、スフィンゴ脂質、ステロール脂質、プレノール脂質、サッカロ脂質、ポリケチド、親油性皮膚活性剤の皮膚軟化剤、及びこれらの混合物が挙げられる。様々な好適な液体、半固体、及び／又は固体の皮膚軟化剤の詳細は、以下に提供される。
【００４０】
炭化水素皮膚軟化剤は、直鎖、分枝鎖、飽和及び不飽和炭化水素、並びにこれらの混合物を含み、自然又は合成炭化水素の皮膚軟化剤及びこれらの混合物を含む。好ましい自然炭化水素皮膚軟化剤としては、ペトロラタム、鉱油及びこれらの混合物が挙げられる。好ましい合成炭化水素皮膚軟化剤としては、イソヘキサデカン（Ｃｒｏｄａ製のＡｒｌａｍｏｌ  ＨＤ（商標）等）及びポリデセン（Ｅｘｘｏｎ  Ｍｏｂｉｌ製のＰｕｒｅｓｙｎ  ２（商標）等）等の分枝鎖炭化水素が挙げられる。
【００４１】
脂肪族アルコール又は脂肪酸皮膚軟化剤としては、飽和及び不飽和高級アルコール、特にＣ１２〜Ｃ３０脂肪族アルコール又は脂肪酸、特にラウリン酸、ミリスチン、パルミチン、ステアリン、アラキジン酸又はベヘンが挙げられる。エステル皮膚軟化剤としては、Ｃ１２〜Ｃ３０アルコールのエステル及びこれらの混合物、特にミリスチン酸イソプロピル、イソステアリン酸イソプロピル及びこれらの混合物が挙げられる。トリグリセリド皮膚軟化剤としては、合成又は自然トリグリセリド、特にヒマワリ、アボカド、オリーブ、ビーバー香、ココナツ、ココア及びこれらの混合物由来の自然トリグリセリドが挙げられる。より好ましくは、Ｍｙｒｉｔｏｌ（商標）３１２及び３１８（Ｃｏｇｎｉｓ）、Ｅｓｔａｓａｎ（商標）（Ｃｒｏｄａ）並びにＭｉｇｌｙｏｌ（商標）（Ｓａｓｏｌ）市販材料等のココナツ由来のトリグリセリドである。脂肪及びバター皮膚軟化剤としては、ココナツバター、シアバター及びこれらの混合物が挙げられる。ワックス皮膚軟化剤としては、パラフィンろう、微結晶ろう、キャンデリア、オゾケライト及びこれらの混合物が挙げられる。好ましくは、皮膚軟化剤がパラフィンろうを含む。疎水性相は、ワックスが固体保湿組成物に対して更に改善された硬度及び浸食性を与えてもよいため、いくつかのワックスを有利に含む。好ましくは、浸食性の固体保湿組成物は、浸食性の固体保湿組成物の２重量％〜２０重量％、及びより好ましくは３重量％〜１５重量％のワックスを含む。
【００４２】
好適な脂質の別の階級としては、ビタミンＥ酢酸塩及びニコチン酸トコフェロールを含むビタミンＥ誘導体等の油溶性ビタミン、パルミチン酸レチニル、ラノリン、セラミド、ステロール及びステロールエステル、サリチル酸、樟脳、ユーカリプトール及び精油等の油溶性ビタミンＡ誘導体を含む親油性皮膚活性剤の皮膚軟化剤が挙げられる。
【００４３】
一実施形態では、皮膚コンディショニング組成物は、浸食性の固体保湿組成物を形成する少なくとも１つの皮膚軟化剤及び非水溶性構造化ポリマーを含む。そのような組成物の例は、「ＨＡＩＲ  ＲＥＭＯＶＡＬ  ＤＥＶＩＣＥ  ＣＯＭＰＲＩＳＩＮＧ  ＥＲＯＤＩＢＬＥ  ＭＯＩＳＴＵＲＩＺＥＲ」と題する米国特許出願第６１／３０５６８２号に対して優先権を主張する米国特許非仮出願第１３／０２６５５６号及び「ＨＡＩＲ  ＲＥＭＯＶＡＬ  ＤＥＶＩＣＥ  ＣＯＭＰＲＩＳＩＮＧ  ＡＮ  ＥＲＯＤＩＢＬＥ  ＭＯＩＳＴＵＲＩＺＥＲ」と題する米国特許出願第６１／３０５６８７号に対して優先権を主張する米国特許非仮出願第１３／０２６５７５号（両方ともＳｔｅｐｈｅｎｓら）に記載される、浸食性の固体保湿組成物として記載されてきた。
【００４４】
本明細書に使用される、用語「固体」は、浸食性の固体保湿組成物に関して使用されるとき、２５℃で固体である組成物を参照する。本明細書に使用される、用語「非水溶性」は、構造化ポリマーに関して使用されるとき、３１／ＮＦ  ２６  Ｖｏｌ．２  Ｇｅｎｅｒａｌ  Ｎｏｔｉｃｅｓ，１７ページの米国薬局方（ＵＳＰ）定義によると、「極めてわずかに水溶性」を意味し、又は「極めてわずかに水溶性」未満は、ＵＳＰ定義を使用すると、１０００部の溶媒（この場合、水）が標準温度及び標準気圧で１部の溶質（この場合、構造化ポリマー）を溶解するために必要とされることを意味する。本明細書に使用される、用語「〜に可溶性」は、疎水性相に溶解するための非水溶性構造化ポリマーの能力を記載するとき、３１／ＮＦ  ２６  Ｖｏｌ．２  Ｇｅｎｅｒａｌ  Ｎｏｔｉｃｅｓ，１７ページの米国薬局方（ＵＳＰ）定義によると、「可溶性」を意味し、又は「可溶性」未満は、ＵＳＰ定義を使用すると、３０部の溶媒（この場合、疎水性相）が非水溶性構造化ポリマーの融点で１部の溶質（この場合、構造化ポリマー）を溶解するために必要とされることを意味する。
【００４５】
一実施形態では、皮膚コンディショニング組成物は、浸食性の固体保湿組成物は、下記に提供されるプロトコルに従って測定される、約０．５０ｋｇ〜約３．２５ｋｇ、好ましくは約０．７５ｋｇ〜約３．００ｋｇ、より好ましくは約１．００ｋｇ〜約２．５０ｋｇの２５℃でＣｈａｔｉｌｌｏｎ硬度を有する。そのようなＣｈａｔｉｌｌｏｎ硬度を有する皮膚コンディショニング組成物が摩耗の有益な割合を提供することが信じられている。
【００４６】
浸食性の固体保湿組成物内に含まれる非水溶性構造化ポリマーは、浸食性の固体保湿組成物に対する適切な耐摩耗性をもたらす任意の非水溶性構造化ポリマーであってもよく、好ましくは、浸食性の固体保湿組成物に対する上記に定義された範囲のＣｈａｔｉｌｌｏｎ硬度をもたらしてもよい非水溶性構造化ポリマーである。構造化ポリマーは、疎水性相（非水溶性構造化ポリマーの融点で）との混和性又は疎水性相内の溶解度を促進するために非水溶性であり、順々にポリマー全体にわたって疎水性相の均一な分配及びより均一な耐摩耗性を確保することができる。更に、ポリマーの水溶性特質は、湿式剃毛等の水を使用する除毛処理の間に可溶化し、洗い流してもよい、より親水性のポリマーに対してポリマーの耐久性を向上させることができる（したがって、浸食性の固体保湿組成物である）。
【００４７】
一実施形態では、浸食性の固体保湿組成物は、浸食性の固体保湿組成物の重量の非水溶性構造化ポリマーの２％〜５０％、好ましくは３％〜４０％、より好ましくは４％〜１２％を含む。一実施形態では、非水溶性構造化ポリマーは、ブロックコポリマーを含む。より有利に、ブロックコポリマーは、ジブロックコポリマー、トリブロックコポリマー、マルチブロックコポリマー、放射状ブロックコポリマー、ランダムブロックコポリマー、又はこれらのポリマーの混合物を含む。更により有利に、ブロックコポリマーは、トリブロックコポリマーを含む。
【００４８】
別の実施形態では、ブロックコポリマーは、トリブロックコポリマーであり、次にトリブロックコポリマーは好ましくは、線状ＡＢＡトリブロックポリマーを含む。理論に束縛されるものではないが、疎水性相が蓄積する場合がある領域を生成するＡブロック凝集体がＢブロックによって共に結合されることを出願者は信じている。この構造体は、浸食性の固体保湿組成物に対して必要な耐摩耗性を与えるために適切な硬度を提供してもよいが、一方で処理され、処理及び／又は使用中に割れない、又は壊れないように、十分な可撓性もある。有利に、線状ＡＢＡブロックコポリマーは、スチレン−ブタジエン−スチレン（ＳＢＳ）ブロックコポリマー、スチレン−イソプレン−スチレン（ＳＩＳ）ブロックコポリマー、スチレン−エチレンブチレン−スチレン（Ｓ−ＥＢ−Ｓ）ブロックコポリマー、及びこれらの混合物を含む。より有利に、線状ＡＢＡブロックコポリマーは、好ましくは、スチレン−エチレンブチレン−スチレン（Ｓ−ＥＢ−Ｓ）ブロックコポリマーを含む。更により有利に、Ｓ−ＥＢ−Ｓのブタジエンに対するスチレンの重量比は、２０：８０〜４０：６０、好ましくは約３０：７０の範囲である。特に有用な市販のＡＢＡブロックコポリマーとしては、Ｐｅｎｒｅｃｏ  ａｎｄ  ｔｈｅ  Ｋｒａｔｏｎ（商標）のＧシリーズから入手可能なＶｅｒｓａｇｅｌ（商標）材料、特にＧ−６１５０、Ｇ−１６５１、Ｇ−１６５２及び１６５４が挙げられる。
【００４９】
更に別の実施形態では、構造化ポリマーは、ランダムブロックコポリマーを含む。好適なランダムブロックコポリマーの例としては、エチレンと酢酸ビニルとのコポリマーであるエチレン酢酸ビニル（ＥＶＡ）が挙げられる。有利に、ＥＶＡポリマー内に含まれるエチレンの量は、有益な耐摩耗性をもたらすためにＥＶＡの６５〜９０重量％、好ましくは７０〜８５重量％である。ＥＶＡの市販種類は、ＤｕＰｏｎｔ製のＥｌｖａｘ（商標）と呼ばれる。
【００５０】
本発明によると、浸食性の固体保湿組成物は、浸食性の固体保湿組成物の少なくとも約５０重量％の疎水性相を含む。好ましくは、浸食性の固体保湿組成物は、浸食性の固体保湿組成物の６０％〜９５％、より好ましくは７０％〜９０％の疎水性相を含む。
【００５１】
浸食性の固体保湿組成物は、追加の構成成分が浸食性の固体保湿組成物の硬度又は浸食性を著しく低減させない限り、改善された処理を容易にするために、油相ゲル化剤等の組成物に対して好適な溶融粘度をもたらす１つ以上の追加の構成成分を含んでもよい。そのような組成物の例としては、Ｔｈｉｘｃｉｎ  Ｒ（商標）（Ｅｌｅｍｅｎｔｉｓ  Ｓｐｅｃｉａｌｉｔｉｅｓ製）として市販されるトリヒドロキシステアリン、エチレン酢酸ビニル（ＥＶＡ）、及びこれらの混合物が挙げられる。
【００５２】
・ＣＨＡＴＩＬＬＯＮ硬度試験方法
設備：デジタル力計を装備するＣｈａｔｉｌｌｏｎ  ＴＣＤ  ２００
試料の調製：
工程１−６０ｍＬの秤量ボート（７０ｍｍ×７０ｍｍ×２４ｍｍ）の中に脂質を完全に溶融し、鋳造する。工程２−脂質を２５℃で終夜貯蔵し、平衡化する。工程３−硬度試験前に秤量ボートから脂質を注意深く取り除く。
Ａ）機械の調製：
工程１−製造者の説明書に従い、Ｃｈａｔｉｌｌｏｎ  ＴＣＤ  ２００及びデジタル力計を調製する。工程２−ランプ速度を４７ｍｍ／分に設定する。
Ｂ）２５℃での硬度値の測定：
工程１−先のとがった構造がこの試験方法用のランプの軸に付着される必要がある。工程２−上記に調製されるように、ランプの軸の中央の直下に金属基板上の側面に脂質試料を配置する。脂質の中点がランプの軸の中央と一致する必要がある。工程３−上記のように脂質が平板の下の定位置にあり、速度が４７ｍｍ／分で設定され、デジタル力計が「Ｃ  Ｐｅａｋ」で設定されたまま、Ｃｈａｔｉｌｌｏｎ  ＴＣＤ２００上の「Ｄｏｗｎ」ボタンを押し下げる。工程４−プローブが脂質の表面に接触すると同時にＣｈａｔｉｌｌｏｎ  ＴＣＤ２００を停止し、距離カウンタをゼロに設定する。工程５−ゼロと読み込むように力計をリセットする。工程６−距離カウンタが１３ｍｍと読み込むまで、Ｃｈａｔｉｌｌｏｎ  ＴＣＤ２００上の「Ｄｏｗｎ」ボタンを押し下げ、Ｃ  Ｐｅａｋ読み込みを記録する。
【００５３】
・溶融流動粘度試験方法
溶融流動粘度は、ＲＶスピンドルで動作するＢｒｏｏｋｆｉｅｌｄ  ＤＶＩＩ＋及び下記に記載の様々な速度を使用して測定される。
１．位置決め及び水平化−粘度計が作業台上面に垂直に水平であることを確認する。気泡レベル指示器を中央に置く。
２．粘度計のスイッチを入れ、次に自動ゼロ−測定前に粘度計は自動ゼロである必要がある。電源スイッチが入るたびにこの動作が行われる。スピンドルを選択し、速度を設定する。
３．測定
Ａ．）２５０ｇの試料を５００ｍＬの金属容器の中に配置し、試料全体が溶融するまで、１１０℃まで加熱する。容器を受容領域の中に配置する。
Ｂ．）偏差（％）からセンチポアズの粘度（ｃＰ）に表示変更するまで、黄色のＳＥＬＥＣＴ  ＤＩＳＰＬＡＹボタンを押す。（注；ＳＳ＝剪断応力、ＳＲ＝剪断速度）。
Ｃ．）ＲＶスピンドルにレベル記号を有するレベルであるようにスピンドルを垂直に下げる。
Ｄ．）Ｓｉｎｇｅ  Ｐｏｉｎｔ  Ｍｏｄｅによって測定される。
１．）赤色のＭＯＴＯＲ  ＯＮ／ＯＦＦボタンを押し、画面を見て、ｃＰ読み込みが表示されるか確認する。１分以上後、あるいは読み込みを平衡化し、定常状態剪断に達するとき、読み込みを記録する。
２．）ＳＥＬＥＣＴ  ＤＩＳＰＬＡＹボタンを押し、画面を見て、偏差読み込みが表示されることを確認する。１分以上後、あるいは読み込みを平衡化し、定常状態剪断に達するとき、読み込みを記録する。
【００５４】
皮膚コンディショニング組成物が下記の実施例１に従って製造される、浸食性の固体保湿組成物である場合の一実施形態では、皮膚コンディショニング組成物は、１１０℃で約７０ｃＰｓ〜約１６０ｃＰｓの、１００ｒｐｍでのＲＶスピンドル２を使用して測定される溶融粘度を有する。皮膚コンディショニング組成物はまた、１００℃で約１６０ｃＰｓ〜約１８０ｃＰｓの、１００ｒｐｍでのＲＶスピンドル２を使用して測定されるように溶融粘度を有し得る。別の実施形態では、皮膚コンディショニング組成物は、１００℃で約１８０ｃＰｓ〜約１８００ｃＰｓの、１００ｒｐｍでのＲＶスピンドル４を使用して測定されるように溶融粘度を有する。これらの溶融流動粘度測定は、下記に定義される溶融流動粘度によって決定される。理論に束縛されるものではないが、そのような溶融粘度を有する皮膚コンディショニング組成物は、皮膚係合部材を形成するとき、担体上に分配するスロットコーティング又はノズルに特に好適である。
【００５５】
ＩＩＩ．図の詳細
図１は、本発明の少なくとも一実施形態による除毛装置（１００）の側面図である。本装置は、第１の端部（７１０）及び第２の端部（７２０）を有する除毛カートリッジ（７００）を含む。この例では、除毛カートリッジは、２つの伸長された縁部（４００）及び前記２つの伸長された縁部の前方に位置決めされる皮膚係合部材（３００）を含む。更に、ガード（４００）が前記皮膚係合部材の前方に提供される。剃毛補助剤（５００）が前記伸長された縁部の後方に提供される。
【００５６】
図２は、本発明の少なくとも一実施形態による別の除毛カートリッジの断面側面図である。かみそりの刃であり得る２つの伸長された縁部（４００）が示され、刃内ガード（４１０）を有する。この例では、皮膚係合部材（３００）は、ガードが伸長された縁部と皮膚係合部材との間に位置決めされる場合、伸長された縁部の前方及びガードの前方に位置決めされる。伸長された縁部の後方に位置決めされる、第２の皮膚係合部材（３５０）が更に示される。本発明による除毛装置が伸長された縁部の後方に位置決めされるあらゆる既知の提供される化学的性質（剃毛補助剤、潤滑ストリップ、又は皮膚係合部材）を含むことを当業者は理解するであろう。
【００５７】
図３は、２つ以上伸長された縁部が除毛カートリッジ上に提供される場合、ある場合では、３、４、又は５つの伸長された縁部が含まれ得る実施形態である。この図では、皮膚上への使用中に皮膚コンディショニング組成物（３３０）が分配されるように開口部（３２０）を形成する担体（３１０）、及び刃と接触する前に、皮膚が通過する定位置を形成し得る先刃の前方の構造体（９００）も示される。剃毛補助剤が刃の前方に位置決めされる場合、剃毛補助剤又はカートリッジハウジングの別の構造体にとっては、直後の刃の先端部に対して定位置を形成することが好ましくなる可能性があることを当業者は理解するであろう。定位置を形成する構造体は、ハウジングに不可欠に形成される可能性があり、ハウジングに付着される別個の構成成分であり得る。定位置を有することは、皮膚が制御された方向にカートリッジにわたって移動することを確実にするのに役立つことができる。一実施形態では、剃毛補助剤が刃の前方に位置決めされる場合、剃毛補助剤は、使用中に浸食せず、ないしは別の方法で変形しない担体を含み得る。
【００５８】
図４は、本発明の少なくとも一実施形態による除毛カートリッジ（７００）の上平面図であり、複数の開口部（３２０）が担体内に形成される。図５は、伸長された縁部の前方の皮膚係合部材が除毛カートリッジの最大横方向距離の少なくとも５０％である最大横方向距離を有する少なくとも１つの開口部を含む除毛カートリッジの上平面図である。この実施形態は、伸長された縁部の後方に位置決めされる第２の皮膚係合部材も示す。図６は、本発明の少なくとも一実施形態による除毛カートリッジの上平面図であり、ガード（６００）が提供されるが、皮膚係合部材の後方に位置決めされない。別の実施形態では、代替又は追加のガードが皮膚係合部材の前方に位置決めされる。
【００５９】
図７及び８は、本発明による２つの除毛カートリッジの上平面図を示し、皮膚係合部材が伸長された縁部を少なくとも部分的に取り囲む。次に、伸長された縁部の周囲に３６０リングを形成する皮膚係合部材が示されるが、一部のリングもまた、本発明の範囲内であり得る。図７では、開口部は、除毛カートリッジの周縁部の周囲に延在しないのに対して、図８の開口部は延在する。一実施形態では、開口部は、等間隔である。図８の除毛カートリッジは、フィンを有するガード（６００）が皮膚係合部材及び除毛要素の前方に提供される実施形態も示す。図９は、同じ担体、又は平面図で見ると結合されているように見える別個の担体から形成され得る２つの皮膚係合部材が提供される実施形態を示す。皮膚コンディショニング組成物は、同じ又は異なる可能性があり、除毛カートリッジ上の位置に基づいて様々な皮膚コンディショニング組成物を供給するように合わせ得る。
【００６０】
図１０〜１５ｂは、本発明による皮膚係合部材の様々な側面断面図である。図１０は、皮膚コンディショニング組成物が配置され得る中に受容領域（３１５）を形成する担体（３１０）を示す。図１１及び１２は、担体の側壁が開口部（３２０）を形成するように形作られ得る皮膚係合部材の追加の側面断面図を示す。図１３ａ及び１３ｂは、皮膚コンディショニング組成物が使用により摩耗されてきた同じ担体（３１０）を示す。図１４ａ及び１４ｂは、担体が担体の塩基から離れて延在する少なくとも１つの保持部材（３５０）を形成する２つの皮膚係合部材を示す。図１５ａ及び１５ｂは、担体（３１０）内に離散層を形成する第１の皮膚コンディショニング組成物（３３１）及び第２の皮膚コンディショニング組成物（３３２）を有する２つの皮膚係合部材を示す。これらの層は、隣接する可能性があり、望まれる場合、保持部材によって分離され得る。図１５ａに示される層状の皮膚コンディショニング組成物は、スロットコーティングを繰り返し適用することにより、又は別々に成形してから層を形成し、圧縮若しくは加熱して共に成形することにより、生成され得る。これらの層はまた、第１の皮膚コンディショニング組成物をスロットコーティングし、次にその上に第２の皮膚コンディショニング組成物を成形する混合物によって製造され得る。皮膚コンディショニング組成物が図１５ｂにあるように層が並んで形成される場合、これらの層は、２つのダイ開口部を介して共押出成形によって形成され得、又はスロットコータに使用される２つのダイ開口部を有することにより形成され得る。皮膚コンディショニング組成物の複数の層が使用される場合、芳香剤、着色剤又はメントール等の皮膚コンディショニング活性剤等の交換される１つ以上の材料と類似し得る。更に、第１と第２の層とのより大きな相違もまた、使用され得る。例えば、第１の層は、皮膚軟化剤及び構造化ポリマーであり得、第２の層は、非水溶性ポリマーを有する水溶性ポリマーであり得る。
【００６１】
図１６は、担体（３３０）を形成する押出成形機（５３０）及び前記担体の上に又は周囲に皮膚コンディショニング組成物（３１０）を形成するスロットコーティングスプレーノズル（５１０）を含む皮膚係合部材を製造するための例示のシステムの側面図である。
【００６２】
図１７ａは、複数の分配ポート（５１７）を有する分配部材（５１２）を描写する。分配部材は、２つの供給口（５１３）及び（５１４）を含む。これらの供給口は、分配部材（５１２）内に混合される可能性があり、あるいは複数の層を別々に形成するために、又は様々な順に異なる皮膚コンディショニング組成物の選択的分配を可能にするために、担体上に分配され得る。この実施形態では、担体は複数の分配ポートの経路に沿って移動する。これは、同じ又は異なる皮膚コンディショニング組成物の複数の層が望ましい場合に特に望ましい。
【００６３】
図１７ｂは、複数のポートが担体の方向に垂直に配列される分配部材を描写する。この実施形態では、異なる担体が同じ皮膚コンディショニング組成物で処理され得る。複数の供給口もまた、図１７ａに示される実施形態と類似して使用され得ることを当業者は理解するであろう。複数の分配部材もまた、複数の層化を可能にするために、又は製造処理過程に対して微小変化を有する皮膚コンディショニング組成物の変更を容易にするために、順に使用され得ることを当業者は理解するであろう。上記に説明されたように、分配部材は、１つ以上の分配ポートを有し得る。
【００６４】
ＩＶ．製造方法
皮膚係合部材は、多様な方法により製造され得る。皮膚係合部材を製造する好適な方法の非限定的な例としては、皮膚コンディショニング組成物を担体の中に又は上にスロットコーティングする工程、担体及び皮膚コンディショニング組成物を二重押出成形する工程、担体及び皮膚コンディショニング組成物、その後アセンブリを別々に成形及び／又は押出成形する工程等が挙げられる。共押出成形又は別々に成形／押出成形、次に組み立てるための方法の非限定的な例は、米国特許第７，１２１，７５４号及び同第６，２９８，５５８号に提供される。
【００６５】
一実施形態では、本方法は、少なくとも１つの受容領域を有する担体を提供する工程と、該受容領域の中に又は上に、分配部材を通じて流動性を有する形態の皮膚コンディショニング組成物を分配する工程と、を含み、前記担体及び前記分配部材のうちの少なくとも１つがもう１つに対して移動する間に前記皮膚コンディショニング組成物が分配され、皮膚コンディショニング組成物は、水溶性ポリマー及び非水溶性ポリマー、皮膚軟化剤並びに非水溶性構造化ポリマーからなる群から選択されることができる。受容領域は、担体の外部、又は担体によって定義される内部容積であり得る。一実施形態では、皮膚コンディショニング組成物は、流体の皮膚コンディショニング組成物を経路の受容領域の中に又は上に分配することにより形成される。流体の皮膚コンディショニング組成物は、液相、流動性粉末、半固相等であり得る。一実施形態では、前記皮膚コンディショニング組成物は、２５℃及び大気圧で固体である。皮膚コンディショニング組成物は、分配工程の間に前記皮膚コンディショニング組成物の少なくとも融点まで加熱され、液体を形成することができる。この流体は、固体又は半固体の皮膚コンディショニング組成物が望ましい場合、硬化される。
【００６６】
この流体が流動性粉末である場合、粉末は、焼結され得る。一実施形態では、皮膚コンディショニング組成物は、（押出成形等によって）別々に形成され、次に受容領域の中に又は上に配置され、圧力をかけられ、又は適合するように成形される。
【００６７】
別の実施形態では、皮膚コンディショニング組成物は、受容領域に適用される前に固体又は半固体であってよく、特定の形状に押出成形又は成形されてよく、次に、受容領域の中に又は上に配置されてよい。皮膚コンディショニング組成物は次に、受容領域内に適合するように加熱又は加圧され、次に冷却及び／又は凝固される。一実施形態では、前記皮膚コンディショニング組成物を分配する工程は、前記皮膚コンディショニング組成物を前記担体上に形成するストリップ上に少なくとも部分的にコーティングすることによって実施され得る。
【００６８】
一実施形態では、皮膚コンディショニング組成物は、保持タンクから分配部材又は部材に流体を移動させるために歯車ポンプ又は容積流量ピストンポンプ等の機械的ポンプの使用を介して流体形態で分配される。保持タンクは、皮膚コンディショニング組成物が流体状態を形成するために溶融される必要がある。別の実施形態では、保持タンク内に貯蔵される皮膚コンディショニング組成物は、流体を分配部材に向かって及び分配部材から外に追い出すために保持タンク内の組成物に加圧する加圧ガス（即ち、空気又は窒素）を介して分配部材に移動することができる。
【００６９】
一実施形態では、担体は分配工程の間、移動する。そのような実施形態では、担体は、担体が通過するとき、受容領域が充填される皮膚コンディショニング組成物の分配機構に向かって供給され得る。担体は、約１フィート／分〜約１００フィート／分、約２０フィート／分〜約８０フィート／分、又は約５０フィート／分〜約７０フィート／分の速度で移動し得る。別の実施形態では、担体は、分配工程の間に提供及び静止され、皮膚コンディショニング組成物は、移動分配部材（即ち、移動ノズル又は噴霧器ヘッド）を通じて静止担体の中に分配される。この一例は、担体が形成されてからトレイ上に配置され、担体が垂直位置で配向させられる可能性がある。トレイは、担体の垂直位置に沿って移動する間、分配部材がそれぞれの担体の中に分配する場合、線に沿って供給され得る。担体が充填されると、トレイは、垂直方向に別の担体を暴露して下って移動する。更に別の実施形態では、担体及び分配部材は、互いに向かって又は互いから離れるかのいずれかで同時に移動し得る。
【００７０】
皮膚コンディショニング組成物は、充填される担体の量及びその中に又はその上に充填される皮膚コンディショニング組成物の望ましい量に応じて、約１ｍＬ／分〜約３００ｍＬ／分、約１０ｍＬ／分〜約２００ｍＬ／分、約８０ｍＬ／分〜約１２０ｍＬ／分、又は約１００ｍＬ／分の速度で分配され得る。
【００７１】
別の実施形態では、この処理は、前記担体を個々の皮膚係合部材に分離する工程を更に含む。この工程は、皮膚コンディショニング組成物が分配される前又は後に担体を個々の部分に切り刻むことにより実施される。皮膚コンディショニング組成物が分配された後に分離する工程が実施される場合、分離する前に皮膚コンディショニング組成物が少なくとも部分的に凝固し得るように、必要ではないが担体及び皮膚コンディショニング組成物を休止及び冷却することが好ましい可能性がある。
【００７２】
一実施形態では、この処理は、担体を提供する工程及び／又は前記担体の受容領域の中に又は上に前記皮膚コンディショニング組成物を適用する工程のいずれか一方で先に又は同時に行われ得る前記担体を形成する工程を更に含む。１つの好適な実施形態では、前記担体を形成する工程は、皮膚コンディショニング組成物が受容領域の中に又は上にコーティングされる間、同時に行われる。別の実施形態では、前記担体を形成する工程は、前記担体を提供する前記工程に先行する。更に別の実施形態では、前記担体を提供する工程は、前記担体を形成する工程を含む。この処理は、担体及び皮膚コンディショニング組成物の両方が連続して形成され、組み合わされる場合（担体が押出成形される場合、皮膚コンディショニング組成物がその上にスロットコーティングされる場合など）、連続的であり得る。
【００７３】
担体は、多様な既知の方法から形成され得る。一実施形態では、担体は、成形又は押出成形によって形成される。担体が成形される場合、皮膚コンディショニング組成物は、担体が形成された後、又は担体が更にその最終形状をとる間、受容部材の中に又は上に適用され得る。担体が押出成形によって形成される場合、皮膚コンディショニング組成物は、受容領域の中に又は上にスロットコーティングによって（スプレーコーティング又はノズルコーティングによって）適用される可能性があり、あるいは皮膚コンディショニング組成物は、担体の押出成形の間、又は押出成形の後のいずれか一方で受容領域の中に又は上に配置され得る。
【００７４】
皮膚コンディショニング組成物が受容領域の中に又は上にスロットコーティングされる場合、スロットダイコータが使用され得る。更に別の実施形態では、担体及び皮膚コンディショニング組成物が共押出成形される。皮膚コンディショニング組成物がノズルコーティングを使用して形成される場合、溶融ポンプ及び分配ノズルが使用され得る。皮膚コンディショニング組成物を担体の中に又は上にスロットコーティングすることは、４０．５１Ｅｑｕｉｔｙ  Ｃ．ダイアプリケータ（ノズルアセンブリ）を装備するＤｙｎａｔｅｃ  Ｄｙｎａｍｅｌｔを使用してなされ得る。皮膚コンディショニング組成物は、米国特許第６，４４２，８３９号、５段４７行〜６段１２行に記載されるように従来の剃毛補助剤押出成形処理で押出成形される担体上にスロットコーティングされる。一実施形態では、担体は、約６０フィート／分の押出成形機の線速度を介して形成され、この速度は、約１フィート／分〜約２００フィート／分、又は約２５フィート／分〜約１００フィート／分であり得る。２リットル容量の皮膚コンディショニング組成物を、約２７５℃の温度まで上昇させ、約６０％のポンプ速度で押出成形した担体上に送り出すことができる。その上にスロットコーティングされた皮膚コンディショニング組成物を有する担体は、次に冷却され得る。
【００７５】
一実施形態では、担体を提供する工程及び皮膚コンディショニング組成物を形成する工程は、皮膚コンディショニング組成物が受容領域の中に又は上にスロットコーティングされる間、担体が押出成形される場合など、同時に行われる。この処理は、連続的又はバッチ処理であり得る。
【００７６】
担体が別個の部分（後で熱処理され、又は残りの担体に被着される別個の上部又は塩基を有することなど）を含む場合、別個の部分は、皮膚コンディショニング組成物が受容領域の中に又は上に提供された後、定位置に置くことができる。一実施形態では、皮膚コンディショニング組成物を含有する担体は、除毛カートリッジ上に配置される前に冷却され、十分に少なくとも部分的に凝固される。別の実施形態では、皮膚係合部材は、これらの任意の部分の冷却／硬化前に除毛カートリッジ上に配置される。
【００７７】
一実施形態では、担体の受容領域は、１つ以上の皮膚コンディショニング組成物で充填される。複数の皮膚コンディショニング組成物が使用される場合、様々な色を使用して使用者に対して製品使用を示すことができる。例えば、最初に消費される皮膚コンディショニング組成物の部分は、白色又は青色であり得、その後に入手可能な部分は、新しい除毛カートリッジが必要とされ得ることを使用者に通知するために赤色又は黄色であり得る。別の実施形態では、受容領域の部分は、１つ以上の皮膚コンディショニング組成物で充填される。
【００７８】
一実施形態では、前記皮膚コンディショニング組成物を前記受容領域の中に又は上に分配する工程は、前記担体のうちの少なくとも一部がその融点の５℃以内である間に行われる。一実施形態では、この処理は、前記皮膚コンディショニング組成物を形成するために前記少なくとも部分的にコーティングされた受容領域を冷却する工程を更に含む。本発明のこの方法は、かみそりカートリッジ上に前記少なくとも部分的にコーティングされた受容領域を付着する工程を更に含む。
【００７９】
別の実施形態では、この方法は、前記受容領域に存在する前記皮膚コンディショニング組成物に隣接して、皮膚コンディショニング組成物の第２の層を分配する工程を更に含む。別の実施形態では、皮膚コンディショニング組成物の第２の層を分配する工程は、皮膚コンディショニング組成物の前記第２の層をスロットコーティングする工程を含み得る。皮膚コンディショニング組成物の第２の層は、図１５ａ及び１５ｂに示されるように前記第１の皮膚コンディショニング組成物に隣接し得る。第２の層は、第１の層が凝固する前又は後に適用される。連続的処理では、第１の皮膚コンディショニング組成物を含む皮膚係合部材は次に、第２の層が第１の層の側面の上に又は側面に沿って適用される別のスロットコーティング処理に送り込まれる。
【実施例】
【００８０】
皮膚コンディショニング組成物は、下記に提供されるあらゆる実施例により製造される。一実施形態では、担体は、耐衝撃性ポリスチレン、ポリスチレン、エチレン酢酸ビニル、及びこれらの混合物等の熱可塑性材料から選択される。別の実施形態では、担体は、ポリエチレングリコール及びポリスチレン等の水溶性及び非水溶性ポリマーの混合物から製造される。担体は、必要に応じて押出成形され、又は成形され得る。
【００８１】
担体の受容領域の上又は中に皮膚コンディショニング組成物がある。担体を皮膚コンディショニング組成物から分離することによって、担体製造処理により損傷を受ける場合がある特定の皮膚効果剤／活性剤は、処理摩耗及び／又は担体材料との組成不適合性を犠牲にせず、皮膚係合部材に更に組み込まれ得る。一実施例では、皮膚コンディショニング組成物は、実施例１、２、又は下記のこれらの組み合わせの１つである。好適な皮膚コンディショニング組成物としては、上記に開示されたように、水溶性ポリマーが挙げられる。
【００８２】
（実施例１）
【表１】
2013538670.tif 000003
【００８３】
実施例１の組成物は、１３０℃まで炭化水素及びワックスを加熱し、次に線状ＡＢＡトリブロックポリマー（Ｋｒａｔｏｎ  Ｇ１６５０Ｅ）を添加し、並びにポリマーが完全に溶解するまで、十分に混合することにより製造される。次に、この混合物が９０℃まで冷却され、混合物が鋳型に流し込まれ、室温まで冷却された後、Ｔｈｉｘｃｉｎが添加される。実施例１の製剤のＣｈａｔｉｌｌｏｎ硬度は、１．７である。
【００８４】
（実施例２）
【表２】
2013538670.tif 000004
【００８５】
実施例２の組成物は、１３０℃まで炭化水素及びワックスを加熱し、次に線状ＡＢＡトリブロックポリマー（Ｋｒａｔｏｎ  ＧＲＰ６９３５）を添加し、並びにポリマーが完全に溶解するまで、十分に混合することにより製造される。次に、混合物は鋳型に流し込まれ、室温まで冷却された後、９０℃まで冷却される。実施例２の製剤のＣｈａｔｉｌｌｏｎ硬度は、０．６である。
【００８６】
本明細書全体にわたって記載されるあらゆる最大数値限定は、それより小さいあらゆる数値限定を、そのような小さい数値限定が本明細書に明示的に記載されたものとして包含すると理解されるべきである。本明細書全体にわたって記載されるあらゆる最小数値限定は、それより大きいあらゆる数値限定を、そのようなより大きい数値限定が本明細書に明示的に記載されているかのように含む。本明細書全体にわたって記載されるあらゆる数値範囲は、そのようなより広い数値範囲内にあるあらゆるより狭い数値範囲を、そのようなより狭い数値範囲が本明細書に全て明示的に記載されているかのように含む。
【００８７】
特に指定がない限り、本明細書の明細、実施例、及び請求の範囲における全ての部、比、及び百分率は重量基準であり、全ての数値限定は、当該技術分野により提供される通常の程度の精度で使用される。
【００８８】
本明細書に開示した寸法及び値は、記載された正確な数値に厳密に限定されるものとして理解されるべきでない。むしろ、特に断らないかぎり、そのような寸法はそれぞれ、記載された値及びその値周辺の機能的に同等の範囲の両方を意味するものとする。例えば、「４０ｍｍ」として開示された寸法は、「約４０ｍｍ」を意味するものとする。
【００８９】
「発明を実施するための形態」において引用する全ての文献は、その関連部分において参照として本明細書に組み込まれるものであるが、いずれの文献の引用も、こうした引用が本発明の先行技術であることを容認するものとして解釈すべきではない。本書における用語のいずれかの意味又は定義が、参考として組み込まれた文献におけるいずれかの意味又は定義と相反する限りにおいては、本文書においてその用語に与えられた意味又は定義が適用されるものとする。特に指定のない限り、前置詞の「ａ」、「ａｎ」、及び「ｔｈｅ」は「１つ以上」を意味する。
【００９０】
以上、本発明の特定の実施形態を例示、記載したが、本発明の趣旨及び範囲から逸脱することなく他の様々な変更及び改変を行い得る点は、当業者には明らかであろう。したがって、本発明の範囲に含まれるそのような全ての変更及び改変を添付の「特許請求の範囲」において網羅するものとする。
【図１】
2013538670.tif 000005
【図２】
2013538670.tif 000006
【図３】
2013538670.tif 000007
【図４】
2013538670.tif 000008
【図５】
2013538670.tif 000009
【図６】
2013538670.tif 000010
【図７】
2013538670.tif 000011
【図８】
2013538670.tif 000012
【図９】
2013538670.tif 000013
【図１０】
2013538670.tif 000014
【図１１】
2013538670.tif 000015
【図１２】
2013538670.tif 000016
【図１３ａ】
2013538670.tif 000017
【図１３ｂ】
2013538670.tif 000018
【図１４ａ】
2013538670.tif 000019
【図１４ｂ】
2013538670.tif 000020
【図１５ａ】
2013538670.tif 000021
【図１５ｂ】
2013538670.tif 000022
【図１６】
2013538670.tif 000023
【図１７ａ】
2013538670.tif 000024
【図１７ｂ】
2013538670.tif 000025
【国際調査報告】
2013538670.tif 000026
2013538670.tif 000027